(57)【要約】  【課題】  楽曲データに合った背景映像を表示出来る音楽・映像再生装置を提供すること。  【解決手段】  曲予約エリアに登録されている楽曲データより背景ジャンルデータを読み出し（Ｓ２６）、キー情報格納バッファ中に格納されているキー情報をチェックする為のチェック位置をセットされたデータ中の最下位にセットし（Ｓ２７）、該当位置に格納されたキー情報が背景ジャンルデータ中にあるキー情報と一致した場合（Ｓ２８：Ｙｅｓ）、一致したキー情報に対応した背景ジャンルを取得し（Ｓ３１）、決定した背景ジャンルに対応した背景映像管理データより背景映像データを取得し（Ｓ３３）、選択された背景映像データを背景映像信号生成回路に送り込んで再生を開始する（Ｓ３４）。【選択図】  図１１
2008146057.tif 000002
【特許請求の範囲】
【請求項１】
複数の楽曲データが記憶された楽曲データ記憶手段と、
複数の映像データが記憶された映像データ記憶手段と、
前記楽曲データ記憶手段から読み出して再生する楽曲データを、当該楽曲の分類に関するキー情報を用いて選択する楽曲データ選択手段と、
その楽曲データ選択手段により選択された楽曲データを、前記楽曲データ記憶手段から読み出して再生する楽曲再生手段と、
映像データを表示する表示手段と、
当該表示手段に表示する映像データを前記キー情報を用いて前記映像データ記憶手段から選択する映像データ選択手段と、
当該映像データ選択手段が選択した映像データを前記表示手段に表示する映像データ表示制御手段と
を備えたことを特徴とする音楽・映像再生装置。
【請求項２】
前記楽曲データは、前記キー情報と、当該キー情報に対応して、映像の再生時に背景画像として使用する映像データのジャンルを示す背景ジャンルデータとを含み、
前記映像データ選択手段は、前記キー情報に対応した背景ジャンルデータに基づいて、前記表示手段に表示する映像データを選択することを特徴とする請求項１に記載の音楽・映像再生装置。
【請求項３】
前記楽曲データ選択手段は、ツリー構造からなるキー情報群における最上位のキー情報から順次下位のキー情報を選択して、最下流のキー情報に属する楽曲特定情報を得て、その楽曲特定情報に基づき楽曲データを選択し、
前記映像データ選択手段は、前記楽曲データ選択手段により選択されたキー情報のうち最下位のものから順に、対応する背景ジャンルデータが存在するかを判定し、対応する背景ジャンルデータが存在する最も下位のキー情報に対応した背景ジャンルデータに基づいて映像データを選択することを特徴とする請求項２に記載の音楽・映像再生装置。
【請求項４】
前記楽曲データ記憶手段と前記映像データ記憶手段とが同一の記憶手段であることを特徴とする請求項１乃至３の何れかに記載の音楽・映像再生装置。
【請求項５】
前記楽曲データ選択手段が使用するキー情報が前記楽曲データに含まれることを特徴とする請求項１乃至４の何れかに記載の音楽・映像再生装置。
【請求項６】
前記楽曲データ選択手段が使用するキー情報を前記楽曲データとは別にキー情報データとして記憶するキー情報データ記憶手段を備えたことを特徴とする請求項１乃至５の何れかに記載の音楽・映像再生装置。
【請求項７】
前記楽曲データは文字データも有し、前記映像データの再生時に文字データを映像データにスーパーインポーズするスーパーインポーズ手段を備えたことを特徴とする請求項１乃至６の何れかに記載の音楽・映像再生装置。
【発明の詳細な説明】
【技術分野】
【０００１】
本発明は、音楽・映像再生装置に関し、特に音楽と映像が別のデータになっているカラオケ装置に適用出来る音楽・映像再生装置に関するものである。
【背景技術】
【０００２】
従来、楽曲データを例えばデジタルデータ（ＭＩＤＩデータ等）でハードディスク等に保持し、演奏時は楽曲データをＭＩＤＩ音源に送って再生を実現する通信カラオケ再生装置が知られている。この場合、カラオケ再生装置に於ては歌詞などの映像を再生音楽に合わせて表示させる必要がある為、楽曲データ中には歌詞データも記録され、再生時は歌詞のデータも読み出して画面に表示させている。しかし、この状態では映像は歌詞のみとなり、非常に陳腐なものになる。かと言って動画（動く映像）データまで楽曲データに含めた場合、楽曲データは巨大なものになってしまう。そこで、音楽再生と歌詞表示だけを楽曲データとして持ち、背景映像はレーザーディスク（以後ＬＤ）やＤＶＤ等で再生したものを用い、歌詞が背景映像にスーパーインポーズされて画面に表示されるカラオケ再生装置が開発されている（例えば、特許文献１参照）。また、カラオケの楽曲データを選択する方法としては、通常曲番号と呼ばれる楽曲データ一つ一つと１対１に対応した数値或いは文字を入力する事で行なわれるが、最近では歌手名や曲のジャンル等を入力する事で楽曲データを選択出来る検索装置が提案されている。
【特許文献１】特開平１１−９５７６１号公報
【発明の開示】
【発明が解決しようとする課題】
【０００３】
しかしながら、上記歌詞と背景映像を表示する方法では、楽曲データとＬＤやＤＶＤ上の背景映像データはリンクせず、歌詞の内容と全く合わない背景映像が表示されるという問題点があった。また、背景映像をユーザーが選択出来るようにした装置もあるが、この場合はユーザーに選択の手間の負荷を掛けることになるという問題点があった。
【０００４】
本発明は、上述した問題点を解決するためになされたものであり、ユーザーに負荷をかけないで楽曲データに合った背景映像を表示出来る音楽・映像再生装置を提供することを目的とする。
【課題を解決するための手段】
【０００５】
この目的を達成するために請求項１に係る発明の音楽・映像再生装置では、複数の楽曲データが記憶された楽曲データ記憶手段と、複数の映像データが記憶された映像データ記憶手段と、前記楽曲データ記憶手段から読み出して再生する楽曲データを、当該楽曲の分類に関するキー情報を用いて選択する楽曲データ選択手段と、その楽曲データ選択手段により選択された楽曲データを、前記楽曲データ記憶手段から読み出して再生する楽曲再生手段と、映像データを表示する表示手段と、当該表示手段に表示する映像データを前記キー情報を用いて前記映像データ記憶手段から選択する映像データ選択手段と、当該映像データ選択手段が選択した映像データを前記表示手段に表示する映像データ表示制御手段とを備えている。
【０００６】
上記の構成を有する音楽・映像再生装置では、楽曲データ記憶手段が複数の楽曲データを記憶し、映像データ記憶手段が複数の映像データを記憶し、楽曲データ選択手段が、楽曲データ記憶手段から読み出して再生する楽曲データを、当該楽曲の分類に関するキー情報を用いて選択すると、その楽曲データ選択手段により選択された楽曲データを、楽曲再生手段が楽曲データ記憶手段から読み出して再生する。映像データ選択手段は表示手段に表示する映像データを前記キー情報を用いて映像データ記憶手段から選択し、映像データ表示制御手段は当該映像データ選択手段が選択した映像データを表示手段に表示する。従って、楽曲データ選択手段で使用した楽曲の分類に関するキー情報を元に映像データを表示させるので、楽曲データの特徴に合った背景映像を表示することができる。
【０００７】
また、請求項２に係る発明の音楽・映像再生装置では、請求項１に記載の発明の構成に加えて、前記楽曲データは、前記キー情報と、当該キー情報に対応して、映像の再生時に背景画像として使用する映像データのジャンルを示す背景ジャンルデータとを含み、前記映像データ選択手段は、前記キー情報に対応した背景ジャンルデータに基づいて、前記表示手段に表示する映像データを選択することを特徴とする。
【０００８】
上記の構成を有する音楽・映像再生装置では、請求項１に記載の発明の作用に加えて、楽曲データは、前記キー情報と、当該キー情報に対応して、映像の再生時に背景画像として使用する映像データのジャンルを示す背景ジャンルデータとを含み、映像データ選択手段は、キー情報に対応した背景ジャンルデータに基づいて、表示手段に表示する映像データを選択する。
【０００９】
また、請求項３に係る発明の音楽・映像再生装置では、請求項２に記載の発明の構成に加えて、前記楽曲データ選択手段は、ツリー構造からなるキー情報群における最上位のキー情報から順次下位のキー情報を選択して、最下流のキー情報に属する楽曲特定情報を得て、その楽曲特定情報に基づき楽曲データを選択し、前記映像データ選択手段は、前記楽曲データ選択手段により選択されたキー情報のうち最下位のものから順に、対応する背景ジャンルデータが存在するかを判定し、対応する背景ジャンルデータが存在する最も下位のキー情報に対応した背景ジャンルデータに基づいて映像データを選択することを特徴とする。
【００１０】
上記の構成を有する音楽・映像再生装置では、請求項２に記載の発明の作用に加えて、楽曲データ選択手段は、ツリー構造からなるキー情報群における最上位のキー情報から順次下位のキー情報を選択して、最下流のキー情報に属する楽曲特定情報を得て、その楽曲特定情報に基づき楽曲データを選択し、映像データ選択手段は、楽曲データ選択手段により選択されたキー情報のうち最下位のものから順に、対応する背景ジャンルデータが存在するかを判定し、対応する背景ジャンルデータが存在する最も下位のキー情報に対応した背景ジャンルデータに基づいて映像データを選択する。
【００１１】
また、請求項４に係る発明の音楽・映像再生装置では、請求項１乃至３の何れかに記載の発明の構成に加えて、前記楽曲データ記憶手段と前記映像データ記憶手段とが同一の記憶手段であることを特徴とする。
【００１２】
上記の構成を有する音楽・映像再生装置では、請求項１乃至３の何れかに記載の発明の作用に加えて、楽曲データ記憶手段と映像データ記憶手段とが同一の記憶手段である。
【００１３】
また、請求項５に係る発明の音楽・映像再生装置では、請求項１乃至４の何れかに記載の発明の構成に加えて、前記楽曲データ選択手段が使用するキー情報が前記楽曲データに含まれることを特徴とする。
【００１４】
上記の構成を有する音楽・映像再生装置では、請求項１乃至４の何れかに記載の発明の作用に加えて、楽曲データ選択手段が使用するキー情報が楽曲データに含まれる。
【００１５】
また、請求項６に係る発明の音楽・映像再生装置では、請求項１乃至５の何れかに記載の発明の構成に加えて、前記楽曲データ選択手段が使用するキー情報を前記楽曲データとは別にキー情報データとして記憶するキー情報データ記憶手段を備えている。
【００１６】
上記の構成を有する音楽・映像再生装置では、請求項１乃至５の何れかに記載の発明の作用に加えて、キー情報データ記憶手段は、楽曲データ選択手段が使用するキー情報を楽曲データとは別にキー情報データとして記憶する。
【００１７】
また、請求項７に係る発明の音楽・映像再生装置では、請求項１乃至６の何れかに記載の発明の構成に加えて、前記楽曲データは文字データも有し、前記映像データの再生時に文字データを映像データにスーパーインポーズするスーパーインポーズ手段を備えている。
【００１８】
上記の構成を有する音楽・映像再生装置では、請求項１乃至６の何れかに記載の発明の作用に加えて、楽曲データは文字データも有し、スーパーインポーズ手段は、映像データの再生時に文字データを映像データにスーパーインポーズする。
【発明の効果】
【００１９】
以上説明したことから明かなように、請求項１に係る発明の音楽・映像再生装置では、楽曲データ記憶手段が複数の楽曲データを記憶し、映像データ記憶手段が複数の映像データを記憶し、楽曲データ選択手段が、楽曲データ記憶手段から読み出して再生する楽曲データを、当該楽曲の分類に関するキー情報を用いて選択すると、その楽曲データ選択手段により選択された楽曲データを、楽曲再生手段が楽曲データ記憶手段から読み出して再生することができる。映像データ選択手段は表示手段に表示する映像データを前記キー情報を用いて映像データ記憶手段から選択し、映像データ表示制御手段は当該映像データ選択手段が選択した映像データを表示手段に表示することができる。従って、楽曲データ選択手段で使用した楽曲の分類に関するキー情報を元に映像データを表示させるので、楽曲データの特徴に合った背景映像を表示することができる。
【００２０】
また、請求項２に係る発明の音楽・映像再生装置では、請求項１に記載の発明の効果に加えて、楽曲データは、前記キー情報と、当該キー情報に対応して、映像の再生時に背景画像として使用する映像データのジャンルを示す背景ジャンルデータとを含み、映像データ選択手段は、キー情報に対応した背景ジャンルデータに基づいて、表示手段に表示する映像データを選択することができる。
【００２１】
また、請求項３に係る発明の音楽・映像再生装置では、請求項２に記載の発明の効果に加えて、楽曲データ選択手段は、ツリー構造からなるキー情報群における最上位のキー情報から順次下位のキー情報を選択して、最下流のキー情報に属する楽曲特定情報を得て、その楽曲特定情報に基づき楽曲データを選択し、映像データ選択手段は、楽曲データ選択手段により選択されたキー情報のうち最下位のものから順に、対応する背景ジャンルデータが存在するかを判定し、対応する背景ジャンルデータが存在する最も下位のキー情報に対応した背景ジャンルデータに基づいて映像データを選択することができる。
【００２２】
また、請求項４に係る発明の音楽・映像再生装置では、請求項１乃至３の何れかに記載の発明の効果に加えて、楽曲データ記憶手段と映像データ記憶手段とに同一の記憶手段を用いることができる。
【００２３】
また、請求項５に係る発明の音楽・映像再生装置では、請求項１乃至４の何れかに記載の発明の効果に加えて、楽曲データ選択手段が使用するキー情報が楽曲データに含まれるので、楽曲データの特徴に合った背景映像を表示することができる。
【００２４】
また、請求項６に係る発明の音楽・映像再生装置では、請求項１乃至５の何れかに記載の発明の効果に加えて、キー情報データ記憶手段は、楽曲データ選択手段が使用するキー情報を楽曲データとは別にキー情報データとして記憶することができる。
【００２５】
また、請求項７に係る発明の音楽・映像再生装置では、請求項１乃至６の何れかに記載の発明の効果に加えて、楽曲データは文字データも有し、スーパーインポーズ手段は、映像データの再生時に文字データを映像データにスーパーインポーズすることができる。
【発明を実施するための最良の形態】
【００２６】
以下、本発明を具体化した一実施の形態を図面を参照して説明する。
【００２７】
図１に示したのが、本発明を実施した具体例の全体の構成図である。この構成を説明すると、演奏端末１と、音量増幅用アンプ２と、音楽を発声するスピーカ３と、利用者が歌うときに使用するマイク４と、利用者が選曲するときに使用するリモコン５と、映像や文字データを表示するＣＲＴ６とから構成されている。
【００２８】
次に、図２を参照して演奏端末１の電気的構造について説明する。本実施の形態の演奏端末１はＣＰＵ７の指令によって動作する。このＣＰＵ７にはプッシュボタン１０と、７セグメントＬＥＤ９と、リモコン受光部８が接続されている。
【００２９】
また、ＣＰＵ７には、楽曲データ２０と楽曲データ検索用データ２１とＣＰＵ７を動作させるソフトウェア２２や背景映像管理データ２４を記憶しておくハードディスクドライブ１２と、楽曲データ２０を再生する音楽演奏回路１３と、背景映像データ２５を記憶しておくＤＶＤ１５を読み取るＤＶＤドライブ１４と、ハードディスクドライブ１２から読み出した楽曲データ２０を登録する曲予約エリア３０や楽曲データ検索用データ２１やＣＰＵ７を動作させるソフトウェア２２や背景映像管理データ２４等を一時的に記憶するメモリ１１と、ＤＶＤドライブ１４から出力される背景映像データ２５を実際の映像信号に変換する背景映像信号生成回路１６と、楽曲データ２０に記憶されている歌詞情報を映像情報として生成すると共に背景映像信号生成回路から出力される映像信号をスーパーインポーズする映像処理回路１７とが接続されている。
【００３０】
また、メモリ１１には上記以外に、キー情報格納バッファ２３がエリアとして確保されている。映像処理回路１７は前述の通りＣＰＵ７と接続されると共に背景映像信号生成回路１６とも直接接続されており、またＤＶＤドライブ１４もＣＰＵ７と接続されると共に背景映像信号生成回路１６と接続されており、ＣＰＵ７が再生スタートトリガーを発すると、以降ＣＰＵ７の処理に依存する事無く自動的に背景映像が生成される様になっている。音楽演奏回路１３には、音楽出力端子１８が接続されている。音楽出力端子１８は音量増幅用アンプ２と接続されている。また、映像処理回路１７には、映像出力端子１９が接続されている。映像出力端子１９はＣＲＴ６と接続されている。
【００３１】
音楽出力端子１０を介して演奏端末１と接続されている音量増幅用アンプ２は既知のものであり、スピーカ３と、マイク４が接続されている。リモコン受光部８はリモコン５から出力された赤外線を受光する事が出来る。リモコン５から送出される赤外線にはデジタルデータを載せる事が可能であり、この仕組みは既知のものである。
【００３２】
次に、図３を参照してプッシュボタン１０及びリモコン５の外見について説明する。プッシュボタン１０とリモコン５は同じボタンが装備されており、それは０〜９までの数字を入力する番号ボタン１０ａ及び５ａ、方向ボタン１０ｂ及び５ｂ、確定ボタン１０ｃ及び５ｃである。
【００３３】
次に、図４を参照して楽曲データ２０の構造を説明する。楽曲データ２０は、その曲を管理するための曲番号が格納されている曲番号データ２０ａと、音楽演奏回路１３で使用される音楽データ２０ｂと、歌詞表示に使用される歌詞データ２０ｃと、背景映像のジャンルを選択する背景ジャンルデータ２０ｄと、その曲の情報が格納されている曲情報データ２０ｅからなっている。曲番号２０ａは必ずある一つの楽曲データ２０を示しており、重複する事はない。
【００３４】
背景ジャンルデータ２０ｄには、キー情報２０ｆと背景ジャンル２０ｇが一対となって複数個（曲によっては単数の場合もある）格納されている。キー情報２０ｆには「未指定」という特殊なデータが必ず一つ存在する。背景ジャンル２０ｇは背景映像管理データ２４中のジャンル名がセットされている。曲情報データ２０ｅには、曲名２０ｈ、歌手名２０ｉ、発表年２０ｊが格納されている。楽曲データ２０はハードディスクドライブ１２に複数格納されている。
【００３５】
次に、図５を参照して楽曲データ検索用データ２１の構造を説明する。楽曲データ検索用データ２１は、該当データそのものを表すキー情報２１ａと、該キー情報の更に下位に位置する子キー情報２１ｂ及び曲番号２１ｃとから構成されている。子キー情報２１ｂと曲番号２１ｃとは、一つの楽曲データ検索用データ２１に複数格納する事が出来る。
【００３６】
キー情報の階層は２段階より大きい場合もある。本実施の形態ではキー情報は、曲ジャンル→Ｊ−ＰＯＰＳ→女性ソロ→ウタダヒカリ→曲番号の階層では５階層、主題歌→ドラマ→○○ハート→曲番号の階層では４階層になっている。楽曲データ検索用データ２１はハードディスクドライブ１２に複数格納されている。
【００３７】
次に、図６を参照して背景映像管理データ２４の構造を説明する。背景映像管理データ２４は、背景ジャンル名２４ａと、データ名２４ｂとから構成されている。データ名２４ｂは一つの背景映像管理データ中に複数存在する事が出来る。背景映像管理データ２４はハードディスクドライブ１２に複数格納されている。
【００３８】
次に、図７を参照して背景映像データ２５の構造を説明する。背景映像データ２５はデータ名２５ａとデータ内容２５ｂとから構成されている。データ内容２５ｂの実体はＭＰＥＧ１規格で規定される動画映像データである。
【００３９】
次に、フローチャート図８を参照して、本カラオケ装置の基本動作を説明する。通常、カラオケ装置として動作する際は、カラオケ装置は選曲待ち状態であり、利用者がプッシュボタン１０或いはリモコン５を使用して選曲行為を行なうと（Ｓ１）、ＣＰＵ７は登録された曲に対応した楽曲データ２０をハードディスクドライブ１２から取り出してメモリに格納し（Ｓ２）、その曲に対応した背景映像を選択して再生を開始し（Ｓ３）、楽曲データ２０中に存在する歌詞データ２０ｃと音楽データ２０ｂを同期を取りながら再生しつつ（Ｓ４）曲が終了したかどうか確認を行ない（Ｓ５）、曲が終了したら（Ｓ５：Ｙｅｓ）、選曲処理（Ｓ１）まで戻る。
【００４０】
次に、フローチャート図９及び図１０を参照して、図８中のＳ１の処理について詳述する。まず、選曲待ち状態ではキー情報格納バッファ２３をクリアしてから（Ｓ６）、図１２に示す様に「ルート」楽曲データ検索用データ２１の持つ子キー情報２１ｂがＣＲＴ６の画面に表示される（Ｓ７）。この表示手順は図１０に示されている。この表示手順は後述する。
【００４１】
この状態でプッシュボタンの方向ボタン１０ｂ或いはリモコン５の方向ボタン５ｂで利用者が望む曲が属するキー情報を選択して確定ボタン１０ｃ或いは５ｃを押下すると（Ｓ９：Ｙｅｓ）、選択されたキー情報をキー情報格納バッファ２３に格納し（Ｓ１０）、選択されたキー情報に対応した楽曲データ検索用データ２１をハードディスクドライブ１２より取得し（Ｓ１１）、Ｓ７と同様の手順で該楽曲データ検索用データ２１中の子キー情報２１ｂを図１３の様にＣＲＴ６の画面に表示し（Ｓ１２）、再び利用者の入力待ちとなる。
【００４２】
この状態で再び子キー情報２１ｂが選択された場合（Ｓ１４：キー情報選択）、再度キー情報をキー情報格納バッファ２３に格納する（Ｓ１０）。この場合、前回のデータが上書きされないよう、格納位置はメモリアドレス下位にずらされて格納される。これにより、図１４に示す通り、「ルート」からの選択されたキー情報は全て残る事になる。以降、Ｓ１０以下を繰り返し、Ｓ１３にて曲名の選択があった場合（Ｓ１４：曲名選択）、選択された曲の曲番号２１ｃを取得し（Ｓ１５）、該当曲に対応する楽曲データ２０をハードディスクドライブ１２より読み出して曲予約エリア３０に登録し（Ｓ１６）、選曲処理を終了する。
【００４３】
一方、図１２或いは図１３等の画像を表示時にプッシュボタンの番号ボタン１０ａ或いはリモコンの番号ボタン５ａより直接曲番号が入力された場合（Ｓ８：Ｙｅｓ）（Ｓ１３：Ｙｅｓ）、該当曲に対応する楽曲データ２０をハードディスクドライブ１２より読み出して曲予約エリア３０に登録し（Ｓ１６）、選曲処理を終了する。この場合、キー情報格納バッファ２３には何も登録されない事になる。
【００４４】
さて、Ｓ７或いはＳ１２の実行時の処理についてフローチャート図１０を用いて説明すると、まずＳ７の処理時には「ルート」、Ｓ１２の処理時には選択された子キー情報２１ｂデータに対応する楽曲データ検索用データ２１をハードディスクドライブ１２より読み出し（Ｓ１７）、該データの子キー情報２１ｂ或いは曲番号２１ｃをチェックする為の位置を先頭に合せ（Ｓ１８）、チェック位置のデータを判定する（Ｓ１９）。該位置のデータが子キー情報２１ｂだった場合（Ｓ１９：子キー情報）、その子キー情報名をそのまま画面に表示して（Ｓ２０）、次のデータが存在するかどうかチェックする（Ｓ２４）。最終データでは無かった場合（Ｓ２４・Ｎｏ）、チェック位置を次に移動させ（Ｓ２５）、次のデータのチェックに移る（Ｓ１９）。
【００４５】
もし、データチェック時に曲番号２１ｃと判定された場合（Ｓ１９：曲番号）、該当曲番号２１ｃに対応した楽曲データ２０をハードディスクドライブ１２より読み出し（Ｓ２１）、その楽曲データ２０中の曲情報データ２０ｅの、更に曲名２０ｈより該当曲名を取得し（Ｓ２２）、その曲名を表示（Ｓ２３）した後、最終データかどうかの判定を行なう（Ｓ２４）。もし最終データ判定で最終データだった場合（Ｓ２４：Ｙｅｓ）、表示処理を終了する。
【００４６】
次に、図８に示すフローチャートのＳ３の処理について、図１１に示すフローチャートを参照して詳述する。まず曲予約エリア３０に登録されている楽曲データ２０より背景ジャンルデータ２０ｄを読み出す（Ｓ２６）。次にキー情報格納バッファ２３中に格納されているキー情報をチェックする為のチェック位置をセットされたデータ中の最下位にセットする（Ｓ２７）。次に、該当位置に格納されたキー情報が背景ジャンルデータ２０ｄ中にあるキー情報２０ｆと一致した場合（Ｓ２８：Ｙｅｓ）、一致したキー情報２０ｆに対応した背景ジャンル２０ｇを取得し（Ｓ３１）、決定した背景ジャンル２０ｇに対応した背景映像管理データ２４より背景映像データ２５を取得し（Ｓ３３）、選択された背景映像データ２５を背景映像信号生成回路１６に送り込んで再生を開始する（Ｓ３４）。Ｓ３１時で背景映像管理データ２４が複数のデータ名２４ｂを保持していた場合、選択される背景映像データ２５は保持された２４ｂ中からランダムで選択される。
【００４７】
一方、キー情報格納バッファチェック時（Ｓ２８）に於て該当位置に格納されたキー情報が背景ジャンルデータ２０ｄ中にあるキー情報２０ｆと一致しなかった場合（Ｓ２８：Ｎｏ）、次にチェック位置にキー情報が存在するかどうか確認し（Ｓ２９）、キー情報が存在した場合（Ｓ２９：Ｎｏ）はチェック位置を一つ上位に移動して（Ｓ３０）、再度キー情報格納バッファチェック（Ｓ２８）に戻る。チェック位置のキー情報の有無チェック時（Ｓ２９）時に於てキー情報が存在しなかった場合（Ｓ２９：Ｙｅｓ）、背景ジャンルデータ２０ｄ中のキー情報２０ｆ欄が「未設定」となっている対応する背景ジャンル２０ｇを取得し（Ｓ３２）、決定した決定した背景ジャンル２０ｇに対応した背景映像管理データ２４より背景映像データ２５を取得し（Ｓ３３）、選択された背景映像データ２５を背景映像信号生成回路１６に送り込んで再生を開始する（Ｓ３４）。
【００４８】
よって、キー情報格納バッファ２３が図１４の様な場合、つまり図９に於ける選択時に「曲ジャンル→Ｊ−ＰＯＰ→女性ソロ→ウタダヒカリ」と選択していた場合、曲番号０００１の曲を再生すると背景映像は図６よりｆｉｌｅ＿ｓｕｔ＿００１或いはｆｉｌｅ＿ｓｕｔ＿００２等、つまりウタダヒカリの映像となる。また、キー情報格納バッファ２３が図１５の様な場合、つまり図９に於ける選択時に「主題歌→ドラマ→○○ハート」と選択していた場合、曲番号０００１の曲を再生すると背景映像は図６よりｆｉｌｅ＿ｔｍｍ＿００１或いはｆｉｌｅ＿ｔｍｍ＿００２等、つまりドラマ「○○ハート」の映像となる。また、図９に於ける選択時に番号ボタンによる直接選曲を行なった場合、キー情報格納バッファ２３は図１６の様な形となり、曲番号０００１の曲を再生すると背景映像は図６よりｆｉｌｅ＿ｓｕｔ＿００１或いはｆｉｌｅ＿ｓｕｔ＿００２等、つまりウタダヒカリの映像となる。
【００４９】
以上、本実施の形態の音楽・映像再生装置によれば、曲選択時のキー情報を利用する事で、利用者として望ましい楽曲データの特徴に合った背景映像を表示することができる。
【００５０】
尚、本発明は、上記の実施の形態に限られず、各種の変形が可能である。例えば、上記の実施の形態では、表示手段に表示する映像データをキー情報を用いて映像データ記憶手段から選択する映像データ選択手段は、演奏端末１内に内蔵したＣＰＵ７やメモリ１１により実現しているが、映像データ選択手段は、必ずしも演奏端末１内に有るものに限られず、演奏端末１の外部装置により実現しても良い。
【図面の簡単な説明】
【００５１】
【図１】本発明を実施した具体例の全体の構成図である。
【図２】本発明を実施した具体例の電気的構造図である。
【図３】本発明を実施した具体例の入力ボタン部の詳細図である。
【図４】本発明を実施した具体例の楽曲データ構造図である。
【図５】本発明を実施した具体例の楽曲データ検索用データ構造図である。
【図６】本発明を実施した具体例の背景映像管理データの構造図である。
【図７】本発明を実施した具体例の背景映像データの構造図である。
【図８】本発明を実施した具体例の演奏端末の演奏時の動作フローチャートである。
【図９】本発明を実施した具体例の演奏端末の演奏曲選択時の動作フローチャートである。
【図１０】本発明を実施した具体例の演奏端末の演奏曲選択情報表示時の動作フローチャートである。
【図１１】本発明を実施した具体例の演奏端末の背景映像選択・再生時の動作フローチャートである。
【図１２】本発明を実施した具体例の演奏端末の演奏曲選択情報初期画面の例である。
【図１３】本発明を実施した具体例の演奏端末の演奏曲選択情報２画面目画面の例である。
【図１４】本発明を実施した具体例の演奏端末内のキー情報格納バッファ中のデータの例である。
【図１５】本発明を実施した具体例の演奏端末内のキー情報格納バッファ中のデータの例である。
【図１６】本発明を実施した具体例の演奏端末内のキー情報格納バッファ中のデータの例である。
【符号の説明】
【００５２】
１  演奏端末
２  音量増幅アンプ
３  スピーカ
４  マイク
５  リモコン
６  ＣＲＴ
７  ＣＰＵ
１１  メモリ
１３  音楽演奏回路
１５  ＤＶＤ
１６  背景映像信号生成回路
１７  映像処理回路
２０  ハードディスクドライブ
【図１】
2008146057.tif 000003
【図２】
2008146057.tif 000004
【図３】
2008146057.tif 000005
【図４】
2008146057.tif 000006
【図５】
2008146057.tif 000007
【図６】
2008146057.tif 000008
【図７】
2008146057.tif 000009
【図８】
2008146057.tif 000010
【図９】
2008146057.tif 000011
【図１０】
2008146057.tif 000012
【図１１】
2008146057.tif 000013
【図１２】
2008146057.tif 000014
【図１３】
2008146057.tif 000015
【図１４】
2008146057.tif 000016
【図１５】
2008146057.tif 000017
【図１６】
2008146057.tif 000018
【手続補正書】
【提出日】平成19年12月21日(2007.12.21)
【手続補正１】
【補正対象書類名】特許請求の範囲
【補正対象項目名】全文
【補正方法】変更
【補正の内容】
【特許請求の範囲】
【請求項１】
複数の楽曲データが記憶された楽曲データ記憶手段と、
複数の映像データが記憶された映像データ記憶手段と、
前記楽曲データを検索するための検索用データを記憶する検索用データ記憶手段と、
前記楽曲データ記憶手段から読み出して再生する楽曲データを、当該楽曲の分類に関するキー情報を用いて選択する楽曲データ選択手段と、
その楽曲データ選択手段により選択された楽曲データを、前記楽曲データ記憶手段から読み出して再生する楽曲再生手段と、
映像データを表示する表示手段と、
当該表示手段に表示する映像データを前記キー情報を用いて前記映像データ記憶手段から選択する映像データ選択手段と、
当該映像データ選択手段が選択した映像データを前記表示手段に表示する映像データ表示制御手段と
を備え、
前記楽曲データは、前記キー情報と、当該キー情報に対応して、映像の再生時に背景画像として使用する映像データのジャンルを示す背景ジャンルデータとを含み、
前記検索用データは、最上位のキー情報と当該最上位のキー情報の最下位のキー情報までの複数の階層ならなるキー情報と、当該最下位のキー情報に属する楽曲特定情報とを含み、
前記楽曲データ選択手段は、前記検索用データ記憶手段に記憶された複数の前記検索用データの中の一つの検索用データの最上位のキー情報から順次下位のキー情報を選択して、最下位のキー情報に属する楽曲特定情報を得て、その楽曲特定情報に基づき楽曲データを選択し、
前記映像データ選択手段は、前記楽曲データ選択手段により選択されたキー情報のうち最下位のものから順に、対応する背景ジャンルデータが存在するかを判定し、対応する背景ジャンルデータが存在する最も下位のキー情報に対応した背景ジャンルデータに基づいて映像データを選択することを特徴とする音楽・映像再生装置。
【請求項２】
前記検索用データ記憶手段には、前記楽曲特定情報が同じで、前記キー情報が異なる複数の前記検索用データが記憶され、
前記映像データ選択手段は、前記楽曲データ選択手段が、前記楽曲特定情報が同じで前記キー情報が異なる複数の前記検索用データにより同一の楽曲データを選択した場合でも、前記キー情報が異なる場合には、当該キー情報に対応して異なる映像データが選択されることを特徴とする請求項１に記載の音楽・映像再生装置。
【手続補正２】
【補正対象書類名】明細書
【補正対象項目名】全文
【補正方法】変更
【補正の内容】
【発明の詳細な説明】
【技術分野】
【０００１】
本発明は、音楽・映像再生装置に関し、特に音楽と映像が別のデータになっているカラオケ装置に適用出来る音楽・映像再生装置に関するものである。
【背景技術】
【０００２】
従来、楽曲データを例えばデジタルデータ（ＭＩＤＩデータ等）でハードディスク等に保持し、演奏時は楽曲データをＭＩＤＩ音源に送って再生を実現する通信カラオケ再生装置が知られている。この場合、カラオケ再生装置に於ては歌詞などの映像を再生音楽に合わせて表示させる必要がある為、楽曲データ中には歌詞データも記録され、再生時は歌詞のデータも読み出して画面に表示させている。しかし、この状態では映像は歌詞のみとなり、非常に陳腐なものになる。かと言って動画（動く映像）データまで楽曲データに含めた場合、楽曲データは巨大なものになってしまう。そこで、音楽再生と歌詞表示だけを楽曲データとして持ち、背景映像はレーザーディスク（以後ＬＤ）やＤＶＤ等で再生したものを用い、歌詞が背景映像にスーパーインポーズされて画面に表示されるカラオケ再生装置が開発されている（例えば、特許文献１参照）。また、カラオケの楽曲データを選択する方法としては、通常曲番号と呼ばれる楽曲データ一つ一つと１対１に対応した数値或いは文字を入力する事で行なわれるが、最近では歌手名や曲のジャンル等を入力する事で楽曲データを選択出来る検索装置が提案されている。
【特許文献１】特開平１１−９５７６１号公報
【発明の開示】
【発明が解決しようとする課題】
【０００３】
しかしながら、上記歌詞と背景映像を表示する方法では、楽曲データとＬＤやＤＶＤ上の背景映像データはリンクせず、歌詞の内容と全く合わない背景映像が表示されるという問題点があった。また、背景映像をユーザーが選択出来るようにした装置もあるが、この場合はユーザーに選択の手間の負荷を掛けることになるという問題点があった。
【０００４】
本発明は、上述した問題点を解決するためになされたものであり、ユーザーに負荷をかけないで楽曲データに合った背景映像を表示出来る音楽・映像再生装置を提供することを目的とする。
【課題を解決するための手段】
【０００５】
この目的を達成するために請求項１に係る発明の音楽・映像再生装置では、複数の楽曲データが記憶された楽曲データ記憶手段と、複数の映像データが記憶された映像データ記憶手段と、前記楽曲データを検索するための検索用データを記憶する検索用データ記憶手段と、前記楽曲データ記憶手段から読み出して再生する楽曲データを、当該楽曲の分類に関するキー情報を用いて選択する楽曲データ選択手段と、その楽曲データ選択手段により選択された楽曲データを、前記楽曲データ記憶手段から読み出して再生する楽曲再生手段と、映像データを表示する表示手段と、当該表示手段に表示する映像データを前記キー情報を用いて前記映像データ記憶手段から選択する映像データ選択手段と、当該映像データ選択手段が選択した映像データを前記表示手段に表示する映像データ表示制御手段とを備え、前記楽曲データは、前記キー情報と、当該キー情報に対応して、映像の再生時に背景画像として使用する映像データのジャンルを示す背景ジャンルデータとを含み、前記検索用データは、最上位のキー情報と当該最上位のキー情報の最下位のキー情報までの複数の階層ならなるキー情報と、当該最下位のキー情報に属する楽曲特定情報とを含み、前記楽曲データ選択手段は、前記検索用データ記憶手段に記憶された複数の前記検索用データの中の一つの検索用データの最上位のキー情報から順次下位のキー情報を選択して、最下位のキー情報に属する楽曲特定情報を得て、その楽曲特定情報に基づき楽曲データを選択し、前記映像データ選択手段は、前記楽曲データ選択手段により選択されたキー情報のうち最下位のものから順に、対応する背景ジャンルデータが存在するかを判定し、対応する背景ジャンルデータが存在する最も下位のキー情報に対応した背景ジャンルデータに基づいて映像データを選択することを特徴とする。
【０００６】
【０００７】
また、請求項２に係る発明の音楽・映像再生装置では、請求項１に記載の発明の構成に加えて、前記検索用データ記憶手段には、前記楽曲特定情報が同じで、前記キー情報が異なる複数の前記検索用データが記憶され、前記映像データ選択手段は、前記楽曲データ選択手段が、前記楽曲特定情報が同じで前記キー情報が異なる複数の前記検索用データにより同一の楽曲データを選択した場合でも、前記キー情報が異なる場合には、当該キー情報に対応して異なる映像データが選択されることを特徴とする。
【０００８】
【０００９】
【００１０】
【００１１】
【００１２】
【００１３】
【００１４】
【００１５】
【００１６】
【００１７】
【００１８】
【発明の効果】
【００１９】
以上説明したことから明かなように、請求項１に係る発明の音楽・映像再生装置では、楽曲データ記憶手段が複数の楽曲データを記憶し、映像データ記憶手段が複数の映像データを記憶し、検索用データ記憶手段が前記楽曲データを検索するための検索用データを記憶し、楽曲データ選択手段が、楽曲データ記憶手段から読み出して再生する楽曲データを、当該楽曲の分類に関するキー情報を用いて選択すると、その楽曲データ選択手段により選択された楽曲データを、楽曲再生手段が楽曲データ記憶手段から読み出して再生することができる。映像データ選択手段は表示手段に表示する映像データを前記キー情報を用いて映像データ記憶手段から選択し、映像データ表示制御手段は当該映像データ選択手段が選択した映像データを表示手段に表示することができる。従って、楽曲データ選択手段で使用した楽曲の分類に関するキー情報を元に映像データを表示させるので、楽曲データの特徴に合った背景映像を表示することができる。
【００２０】
また、楽曲データは、前記キー情報と、当該キー情報に対応して、映像の再生時に背景画像として使用する映像データのジャンルを示す背景ジャンルデータとを含み、前記検索用データは、最上位のキー情報と当該最上位のキー情報の最下位のキー情報までの複数の階層ならなるキー情報と、当該最下位のキー情報に属する楽曲特定情報とを含む。
【００２１】
また、楽曲データ選択手段は、前記検索用データ記憶手段に記憶された複数の前記検索用データの中の一つの検索用データの最上位のキー情報から順次下位のキー情報を選択して、最下位のキー情報に属する楽曲特定情報を得て、その楽曲特定情報に基づき楽曲データを選択し、映像データ選択手段は、楽曲データ選択手段により選択されたキー情報のうち最下位のものから順に、対応する背景ジャンルデータが存在するかを判定し、対応する背景ジャンルデータが存在する最も下位のキー情報に対応した背景ジャンルデータに基づいて映像データを選択することができる。
【００２２】
また、請求項２に係る発明の音楽・映像再生装置では、請求項１に記載の発明の効果に加えて、検索用データ記憶手段には、楽曲特定情報が同じで、キー情報が異なる複数の前記検索用データが記憶され、映像データ選択手段は、楽曲データ選択手段が、楽曲特定情報が同じで前記キー情報が異なる複数の検索用データにより同一の楽曲データを選択した場合でも、キー情報が異なる場合には、キー情報に対応して異なる映像データを選択できる。
【００２３】
【００２４】
【００２５】
【発明を実施するための最良の形態】
【００２６】
以下、本発明を具体化した一実施の形態を図面を参照して説明する。
【００２７】
図１に示したのが、本発明を実施した具体例の全体の構成図である。この構成を説明すると、演奏端末１と、音量増幅用アンプ２と、音楽を発声するスピーカ３と、利用者が歌うときに使用するマイク４と、利用者が選曲するときに使用するリモコン５と、映像や文字データを表示するＣＲＴ６とから構成されている。
【００２８】
次に、図２を参照して演奏端末１の電気的構造について説明する。本実施の形態の演奏端末１はＣＰＵ７の指令によって動作する。このＣＰＵ７にはプッシュボタン１０と、７セグメントＬＥＤ９と、リモコン受光部８が接続されている。
【００２９】
また、ＣＰＵ７には、楽曲データ２０と楽曲データ検索用データ２１とＣＰＵ７を動作させるソフトウェア２２や背景映像管理データ２４を記憶しておくハードディスクドライブ１２と、楽曲データ２０を再生する音楽演奏回路１３と、背景映像データ２５を記憶しておくＤＶＤ１５を読み取るＤＶＤドライブ１４と、ハードディスクドライブ１２から読み出した楽曲データ２０を登録する曲予約エリア３０や楽曲データ検索用データ２１やＣＰＵ７を動作させるソフトウェア２２や背景映像管理データ２４等を一時的に記憶するメモリ１１と、ＤＶＤドライブ１４から出力される背景映像データ２５を実際の映像信号に変換する背景映像信号生成回路１６と、楽曲データ２０に記憶されている歌詞情報を映像情報として生成すると共に背景映像信号生成回路から出力される映像信号をスーパーインポーズする映像処理回路１７とが接続されている。
【００３０】
また、メモリ１１には上記以外に、キー情報格納バッファ２３がエリアとして確保されている。映像処理回路１７は前述の通りＣＰＵ７と接続されると共に背景映像信号生成回路１６とも直接接続されており、またＤＶＤドライブ１４もＣＰＵ７と接続されると共に背景映像信号生成回路１６と接続されており、ＣＰＵ７が再生スタートトリガーを発すると、以降ＣＰＵ７の処理に依存する事無く自動的に背景映像が生成される様になっている。音楽演奏回路１３には、音楽出力端子１８が接続されている。音楽出力端子１８は音量増幅用アンプ２と接続されている。また、映像処理回路１７には、映像出力端子１９が接続されている。映像出力端子１９はＣＲＴ６と接続されている。
【００３１】
音楽出力端子１０を介して演奏端末１と接続されている音量増幅用アンプ２は既知のものであり、スピーカ３と、マイク４が接続されている。リモコン受光部８はリモコン５から出力された赤外線を受光する事が出来る。リモコン５から送出される赤外線にはデジタルデータを載せる事が可能であり、この仕組みは既知のものである。
【００３２】
次に、図３を参照してプッシュボタン１０及びリモコン５の外見について説明する。プッシュボタン１０とリモコン５は同じボタンが装備されており、それは０〜９までの数字を入力する番号ボタン１０ａ及び５ａ、方向ボタン１０ｂ及び５ｂ、確定ボタン１０ｃ及び５ｃである。
【００３３】
次に、図４を参照して楽曲データ２０の構造を説明する。楽曲データ２０は、その曲を管理するための曲番号が格納されている曲番号データ２０ａと、音楽演奏回路１３で使用される音楽データ２０ｂと、歌詞表示に使用される歌詞データ２０ｃと、背景映像のジャンルを選択する背景ジャンルデータ２０ｄと、その曲の情報が格納されている曲情報データ２０ｅからなっている。曲番号２０ａは必ずある一つの楽曲データ２０を示しており、重複する事はない。
【００３４】
背景ジャンルデータ２０ｄには、キー情報２０ｆと背景ジャンル２０ｇが一対となって複数個（曲によっては単数の場合もある）格納されている。キー情報２０ｆには「未指定」という特殊なデータが必ず一つ存在する。背景ジャンル２０ｇは背景映像管理データ２４中のジャンル名がセットされている。曲情報データ２０ｅには、曲名２０ｈ、歌手名２０ｉ、発表年２０ｊが格納されている。楽曲データ２０はハードディスクドライブ１２に複数格納されている。
【００３５】
次に、図５を参照して楽曲データ検索用データ２１の構造を説明する。楽曲データ検索用データ２１は、該当データそのものを表すキー情報２１ａと、該キー情報の更に下位に位置する子キー情報２１ｂ及び曲番号２１ｃとから構成されている。子キー情報２１ｂと曲番号２１ｃとは、一つの楽曲データ検索用データ２１に複数格納する事が出来る。
【００３６】
キー情報の階層は２段階より大きい場合もある。本実施の形態ではキー情報は、曲ジャンル→Ｊ−ＰＯＰＳ→女性ソロ→ウタダヒカリ→曲番号の階層では５階層、主題歌→ドラマ→○○ハート→曲番号の階層では４階層になっている。楽曲データ検索用データ２１はハードディスクドライブ１２に複数格納されている。
【００３７】
次に、図６を参照して背景映像管理データ２４の構造を説明する。背景映像管理データ２４は、背景ジャンル名２４ａと、データ名２４ｂとから構成されている。データ名２４ｂは一つの背景映像管理データ中に複数存在する事が出来る。背景映像管理データ２４はハードディスクドライブ１２に複数格納されている。
【００３８】
次に、図７を参照して背景映像データ２５の構造を説明する。背景映像データ２５はデータ名２５ａとデータ内容２５ｂとから構成されている。データ内容２５ｂの実体はＭＰＥＧ１規格で規定される動画映像データである。
【００３９】
次に、フローチャート図８を参照して、本カラオケ装置の基本動作を説明する。通常、カラオケ装置として動作する際は、カラオケ装置は選曲待ち状態であり、利用者がプッシュボタン１０或いはリモコン５を使用して選曲行為を行なうと（Ｓ１）、ＣＰＵ７は登録された曲に対応した楽曲データ２０をハードディスクドライブ１２から取り出してメモリに格納し（Ｓ２）、その曲に対応した背景映像を選択して再生を開始し（Ｓ３）、楽曲データ２０中に存在する歌詞データ２０ｃと音楽データ２０ｂを同期を取りながら再生しつつ（Ｓ４）曲が終了したかどうか確認を行ない（Ｓ５）、曲が終了したら（Ｓ５：Ｙｅｓ）、選曲処理（Ｓ１）まで戻る。
【００４０】
次に、フローチャート図９及び図１０を参照して、図８中のＳ１の処理について詳述する。まず、選曲待ち状態ではキー情報格納バッファ２３をクリアしてから（Ｓ６）、図１２に示す様に「ルート」楽曲データ検索用データ２１の持つ子キー情報２１ｂがＣＲＴ６の画面に表示される（Ｓ７）。この表示手順は図１０に示されている。この表示手順は後述する。
【００４１】
この状態でプッシュボタンの方向ボタン１０ｂ或いはリモコン５の方向ボタン５ｂで利用者が望む曲が属するキー情報を選択して確定ボタン１０ｃ或いは５ｃを押下すると（Ｓ９：Ｙｅｓ）、選択されたキー情報をキー情報格納バッファ２３に格納し（Ｓ１０）、選択されたキー情報に対応した楽曲データ検索用データ２１をハードディスクドライブ１２より取得し（Ｓ１１）、Ｓ７と同様の手順で該楽曲データ検索用データ２１中の子キー情報２１ｂを図１３の様にＣＲＴ６の画面に表示し（Ｓ１２）、再び利用者の入力待ちとなる。
【００４２】
この状態で再び子キー情報２１ｂが選択された場合（Ｓ１４：キー情報選択）、再度キー情報をキー情報格納バッファ２３に格納する（Ｓ１０）。この場合、前回のデータが上書きされないよう、格納位置はメモリアドレス下位にずらされて格納される。これにより、図１４に示す通り、「ルート」からの選択されたキー情報は全て残る事になる。以降、Ｓ１０以下を繰り返し、Ｓ１３にて曲名の選択があった場合（Ｓ１４：曲名選択）、選択された曲の曲番号２１ｃを取得し（Ｓ１５）、該当曲に対応する楽曲データ２０をハードディスクドライブ１２より読み出して曲予約エリア３０に登録し（Ｓ１６）、選曲処理を終了する。
【００４３】
一方、図１２或いは図１３等の画像を表示時にプッシュボタンの番号ボタン１０ａ或いはリモコンの番号ボタン５ａより直接曲番号が入力された場合（Ｓ８：Ｙｅｓ）（Ｓ１３：Ｙｅｓ）、該当曲に対応する楽曲データ２０をハードディスクドライブ１２より読み出して曲予約エリア３０に登録し（Ｓ１６）、選曲処理を終了する。この場合、キー情報格納バッファ２３には何も登録されない事になる。
【００４４】
さて、Ｓ７或いはＳ１２の実行時の処理についてフローチャート図１０を用いて説明すると、まずＳ７の処理時には「ルート」、Ｓ１２の処理時には選択された子キー情報２１ｂデータに対応する楽曲データ検索用データ２１をハードディスクドライブ１２より読み出し（Ｓ１７）、該データの子キー情報２１ｂ或いは曲番号２１ｃをチェックする為の位置を先頭に合せ（Ｓ１８）、チェック位置のデータを判定する（Ｓ１９）。該位置のデータが子キー情報２１ｂだった場合（Ｓ１９：子キー情報）、その子キー情報名をそのまま画面に表示して（Ｓ２０）、次のデータが存在するかどうかチェックする（Ｓ２４）。最終データでは無かった場合（Ｓ２４・Ｎｏ）、チェック位置を次に移動させ（Ｓ２５）、次のデータのチェックに移る（Ｓ１９）。
【００４５】
もし、データチェック時に曲番号２１ｃと判定された場合（Ｓ１９：曲番号）、該当曲番号２１ｃに対応した楽曲データ２０をハードディスクドライブ１２より読み出し（Ｓ２１）、その楽曲データ２０中の曲情報データ２０ｅの、更に曲名２０ｈより該当曲名を取得し（Ｓ２２）、その曲名を表示（Ｓ２３）した後、最終データかどうかの判定を行なう（Ｓ２４）。もし最終データ判定で最終データだった場合（Ｓ２４：Ｙｅｓ）、表示処理を終了する。
【００４６】
次に、図８に示すフローチャートのＳ３の処理について、図１１に示すフローチャートを参照して詳述する。まず曲予約エリア３０に登録されている楽曲データ２０より背景ジャンルデータ２０ｄを読み出す（Ｓ２６）。次にキー情報格納バッファ２３中に格納されているキー情報をチェックする為のチェック位置をセットされたデータ中の最下位にセットする（Ｓ２７）。次に、該当位置に格納されたキー情報が背景ジャンルデータ２０ｄ中にあるキー情報２０ｆと一致した場合（Ｓ２８：Ｙｅｓ）、一致したキー情報２０ｆに対応した背景ジャンル２０ｇを取得し（Ｓ３１）、決定した背景ジャンル２０ｇに対応した背景映像管理データ２４より背景映像データ２５を取得し（Ｓ３３）、選択された背景映像データ２５を背景映像信号生成回路１６に送り込んで再生を開始する（Ｓ３４）。Ｓ３１時で背景映像管理データ２４が複数のデータ名２４ｂを保持していた場合、選択される背景映像データ２５は保持された２４ｂ中からランダムで選択される。
【００４７】
一方、キー情報格納バッファチェック時（Ｓ２８）に於て該当位置に格納されたキー情報が背景ジャンルデータ２０ｄ中にあるキー情報２０ｆと一致しなかった場合（Ｓ２８：Ｎｏ）、次にチェック位置にキー情報が存在するかどうか確認し（Ｓ２９）、キー情報が存在した場合（Ｓ２９：Ｎｏ）はチェック位置を一つ上位に移動して（Ｓ３０）、再度キー情報格納バッファチェック（Ｓ２８）に戻る。チェック位置のキー情報の有無チェック時（Ｓ２９）時に於てキー情報が存在しなかった場合（Ｓ２９：Ｙｅｓ）、背景ジャンルデータ２０ｄ中のキー情報２０ｆ欄が「未設定」となっている対応する背景ジャンル２０ｇを取得し（Ｓ３２）、決定した決定した背景ジャンル２０ｇに対応した背景映像管理データ２４より背景映像データ２５を取得し（Ｓ３３）、選択された背景映像データ２５を背景映像信号生成回路１６に送り込んで再生を開始する（Ｓ３４）。
【００４８】
よって、キー情報格納バッファ２３が図１４の様な場合、つまり図９に於ける選択時に「曲ジャンル→Ｊ−ＰＯＰ→女性ソロ→ウタダヒカリ」と選択していた場合、曲番号０００１の曲を再生すると背景映像は図６よりｆｉｌｅ＿ｓｕｔ＿００１或いはｆｉｌｅ＿ｓｕｔ＿００２等、つまりウタダヒカリの映像となる。また、キー情報格納バッファ２３が図１５の様な場合、つまり図９に於ける選択時に「主題歌→ドラマ→○○ハート」と選択していた場合、曲番号０００１の曲を再生すると背景映像は図６よりｆｉｌｅ＿ｔｍｍ＿００１或いはｆｉｌｅ＿ｔｍｍ＿００２等、つまりドラマ「○○ハート」の映像となる。また、図９に於ける選択時に番号ボタンによる直接選曲を行なった場合、キー情報格納バッファ２３は図１６の様な形となり、曲番号０００１の曲を再生すると背景映像は図６よりｆｉｌｅ＿ｓｕｔ＿００１或いはｆｉｌｅ＿ｓｕｔ＿００２等、つまりウタダヒカリの映像となる。
【００４９】
以上、本実施の形態の音楽・映像再生装置によれば、曲選択時のキー情報を利用する事で、利用者として望ましい楽曲データの特徴に合った背景映像を表示することができる。
【００５０】
尚、本発明は、上記の実施の形態に限られず、各種の変形が可能である。例えば、上記の実施の形態では、表示手段に表示する映像データをキー情報を用いて映像データ記憶手段から選択する映像データ選択手段は、演奏端末１内に内蔵したＣＰＵ７やメモリ１１により実現しているが、映像データ選択手段は、必ずしも演奏端末１内に有るものに限られず、演奏端末１の外部装置により実現しても良い。
【図面の簡単な説明】
【００５１】
【図１】本発明を実施した具体例の全体の構成図である。
【図２】本発明を実施した具体例の電気的構造図である。
【図３】本発明を実施した具体例の入力ボタン部の詳細図である。
【図４】本発明を実施した具体例の楽曲データ構造図である。
【図５】本発明を実施した具体例の楽曲データ検索用データ構造図である。
【図６】本発明を実施した具体例の背景映像管理データの構造図である。
【図７】本発明を実施した具体例の背景映像データの構造図である。
【図８】本発明を実施した具体例の演奏端末の演奏時の動作フローチャートである。
【図９】本発明を実施した具体例の演奏端末の演奏曲選択時の動作フローチャートである。
【図１０】本発明を実施した具体例の演奏端末の演奏曲選択情報表示時の動作フローチャートである。
【図１１】本発明を実施した具体例の演奏端末の背景映像選択・再生時の動作フローチャートである。
【図１２】本発明を実施した具体例の演奏端末の演奏曲選択情報初期画面の例である。
【図１３】本発明を実施した具体例の演奏端末の演奏曲選択情報２画面目画面の例である。
【図１４】本発明を実施した具体例の演奏端末内のキー情報格納バッファ中のデータの例である。
【図１５】本発明を実施した具体例の演奏端末内のキー情報格納バッファ中のデータの例である。
【図１６】本発明を実施した具体例の演奏端末内のキー情報格納バッファ中のデータの例である。
【符号の説明】
【００５２】
１  演奏端末
２  音量増幅アンプ
３  スピーカ
４  マイク
５  リモコン
６  ＣＲＴ
７  ＣＰＵ
１１  メモリ
１３  音楽演奏回路
１５  ＤＶＤ
１６  背景映像信号生成回路
１７  映像処理回路
２０  ハードディスクドライブ